Podtech/llm-jp-corpus-v4-ja_patent huggingface dataset:
【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
リスト内のアイテム一致検索のためのデバイスであって、
−  エントリアイテムを各自の内容と並列で比較するように構成される複数の連想メモリモジュール（５０１、５０２）であって、前記リストは、優先順位リストで定義された順番での前記メモリの有効な内容の連結によって表される、連想メモリモジュールと、
−  前記優先順位リスト内で、エントリアイテムが前記モジュールに記憶されたアイテムに一致する１番目のモジュールを決定するためのモジュール（５０９）と、
−  エントリアイテムに一致する前記決定されたモジュールの１番目のアイテムを読み込むためのモジュール（５１４）とを含む、デバイス。
【請求項２】
−  前記１番目のアイテムを無効にするためのモジュール（５１４）と、
−  前記決定されたメモリと関連付けられているアイテムカウンタを更新するための更新モジュール（５１０）であって、前記アイテムカウンタは前記メモリに記憶された有効なアイテムの数を表す、更新モジュールとをさらに含む、請求項１に記載のデバイス。
【請求項３】
前記更新モジュールがさらに、モジュールが空の場合に前記優先順位リストの更新を開始するように構成され、前記更新により、前記モジュールが、空ではないモジュールの優先順位レベルよりも低い優先順位レベルに置かれることが可能になる、請求項２に記載のデバイス。
【請求項４】
前記メモリと関連付けられている優先順位インデックスが更新される、請求項２または３に記載のデバイス。
【請求項５】
前記更新が、前記モジュールとリスト内の後続モジュールとのシフトを含む、請求項４に記載のデバイス。
【請求項６】
前記優先順位リストが各モジュールのパラメータを含み、各モジュールが空かどうかを示す、請求項１から５のいずれか一項に記載のデバイス。
【請求項７】
モジュールが前記パラメータによって分類される、請求項６に記載のデバイス。
【請求項８】
前記優先順リスト内のモジュールの順番は、配分順序を反映する、請求項１から７のいずれか一項に記載のデバイス。
【請求項９】
前記一致検索が、前記アイテムのタグと前記リストのアイテムのタグとの関連付けにより実施される、請求項１から８のいずれか一項に記載のデバイス。
【請求項１０】
前記モジュールが、３値の内容によりアドレス指定可能なメモリモジュールである、請求項１から９のいずれか一項に記載のデバイス。
【請求項１１】
ＳｘＮ個のアイテムのリストを処理するために、Ｎ個の連想メモリモジュールを含み、各モジュールがＳ個のアイテムを含むことができる、請求項１から１０のいずれか一項に記載のデバイス。
【請求項１２】
マルチプレクサのｌｏｇ２（Ｎ）個のステージから形成された、デバイスの少なくとも１つの処理モジュールを含み、Ｎは連想メモリモジュールの数である、請求項１から１１のいずれか一項に記載のデバイス。
【請求項１３】
リスト内のアイテム一致検索のための方法であって、
−  エントリアイテムを複数の連想メモリモジュールの内容と並列で比較するステップであって、前記リストは、優先順位リストで定義された順番での前記メモリの有効な内容の連結によって表される、比較するステップと、
−  前記優先順位リスト内で、エントリアイテムが前記モジュールに記憶されたアイテムに一致する１番目のモジュールを決定するステップと、
−  エントリアイテムに一致する前記決定されたモジュールの１番目のアイテムを読み込むステップとを含む、方法。
【請求項１４】
−  前記１番目のアイテムを無効化するステップと、
−  前記決定されたメモリと関連付けられているアイテムカウンタを更新するステップであって、前記アイテムカウンタは前記メモリに記憶された有効なアイテムの数を表す、更新するステップとをさらに含む、請求項１３に記載の方法。
【請求項１５】
モジュールが空の場合に前記優先順位リストを更新するステップであって、前記更新により、前記モジュールが、空ではないモジュールの優先順位レベルよりも低い優先順位レベルに置かれることが可能になる、更新するステップをさらに含む、請求項１４に記載の方法。
【請求項１６】
前記メモリと関連付けられている優先順位インデックスが更新される、請求項１４または１５に記載の方法。
【請求項１７】
前記更新が、前記モジュールとリスト内の後続モジュールとのシフトを含む、請求項１６に記載の方法。
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
患者の次の検査に関する理由を予測するシステムであって、
前記患者の臨床データを含む１つ又は複数の臨床文書を格納する臨床データベースと、
前記臨床データを検出するため、前記臨床文書を処理する自然言語処理エンジンと、
内部データ構造及び／又はオントロジーに対して、前記臨床データを意味論的に正規化する正規化エンジンと、
前記正規化された臨床データに基づき、検査に関する既知の理由のセットから、マッピングを生成するパターン認識エンジンと、
前記患者の次の検査に関する理由に関する予測を前記マッピングから生成する予測エンジンとを有する、システム。
【請求項２】
前記パターン認識エンジンが、意味論的に正規化された臨床データのセットに関して訓練され、意味論的に正規化された患者の病歴のセットが与えられると、将来の検査に関する理由を予測するために問い合わせられる、請求項１に記載のシステム。
【請求項３】
前記患者の次の検査に関する理由に関する前記予測を含む表示を生成する臨床インタフェースエンジンを更に含む、請求項１又は２に記載のシステム。
【請求項４】
前記マッピングが、前記検査に関する理由に関する尤度及び時間スパン情報の少なくとも１つを含む、請求項１乃至３のいずれか一項に記載のシステム。
【請求項５】
前記マッピングが、前記臨床データ及び統計モデルを利用して実行される、請求項１乃至４のいずれか一項に記載のシステム。
【請求項６】
ユーザインタフェースが、関連する時間スパンにわたる尤度を示す少なくとも１つの追加的な情報を含む、請求項１乃至５のいずれか一項に記載のシステム。
【請求項７】
ユーザインタフェースが、前記予測に関するインパクトを見るため、ユーザが変数を追加及び削除することを可能にし、変数の新しいセットに基づき、前記予測の再計算がトリガーされる、請求項１乃至６のいずれか一項に記載のシステム。
【請求項８】
患者の次の検査に関する理由を予測する方法において、
前記患者の臨床データを含む１つ又は複数の臨床文書を格納するステップと、
前記臨床データを検出するため、前記臨床文書を処理するステップと、
内部データ構造及び／又はオントロジーに対して、前記臨床データを意味論的に正規化するステップと、
前記正規化された臨床データに基づき、検査に関する既知の理由のセットから、マッピングを生成するステップと、
前記患者の次の検査に関する理由に関する予測を前記マッピングから生成するステップとを有する、方法。
【請求項９】
前記患者の次の検査に関する理由に関する前記予測を含む表示を生成するステップを更に有する、請求項８に記載の方法。
【請求項１０】
前記マッピングが、前記検査に関する理由に関する尤度及び時間スパン情報の少なくとも１つを含む、請求項８又は９に記載の方法。
【請求項１１】
ユーザインタフェースが、関連する時間スパンにわたる尤度を示す少なくとも１つの追加的な情報を含む、請求項８乃至１０のいずれか一項に記載の方法。
【請求項１２】
ユーザインタフェースが、前記予測に関するインパクトを見るため、ユーザが変数を追加及び削除することを可能にする、請求項１０又は１１に記載の方法。
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
シャーシと、
前記シャーシの表面の少なくとも一部にラミネートされる柔軟材料と、
前記表面の前記一部に隣接して前記シャーシに取り付けられるマウントウェッジであって、該マウントウェッジは、該マウントウェッジの端部が前記シャーシの前記表面の前記一部の端部に対して前記柔軟材料の端部を挟むように配置される、マウントウェッジと、
前記マウントウェッジの上面に少なくとも部分的に取り付けられる接着層と、
前記接着層に取り付けられるディスプレイ面であって、該ディスプレイ面の外端は前記柔軟材料の内端と接触する、ディスプレイ面と、
を含む装置。
【請求項２】
前記柔軟材料はファブリックを含む、請求項１に記載の装置。
【請求項３】
前記シャーシは前記シャーシの前記表面の前記一部の前記端部に沿って形成されるウェッジ溝を含み、前記マウントウェッジは該ウェッジ溝と連結するウェッジリブを含む、請求項１に記載の装置。
【請求項４】
前記マウントウェッジは、前記シャーシに取り付けられる少なくとも１つの他のマウントウェッジを含むマウントウェッジ構造の一部であり、該少なくとも１つの他のマウントウェッジは、前記少なくとも１つの他のマウントウェッジが前記シャーシの前記表面の前記一部の別の端部に対して前記柔軟材料の別の端部を挟むように配置されている、請求項１に記載の装置。
【請求項５】
少なくとも部分的に柔軟材料がラミネートされる表面を有するシャーシと、
マウントウェッジであって、該マウントウェッジは、該マウントウェッジの端部が前記シャーシの前記表面の内端に対して前記柔軟材料の端部を挟むように前記表面に隣接して前記シャーシに取り付けられる、マウントウェッジと、
接着層を介して前記マウントウェッジの上面に取り付けられるディスプレイ面であって、該ディスプレイ面の外端は前記柔軟材料の内端と接触する、ディスプレイ面と、
を含むコンピューティングデバイス。
【請求項６】
前記シャーシは前記シャーシの前記表面の前記端部に沿って配置されるウェッジ溝を含み、前記マウントウェッジは該ウェッジ溝と連結するウェッジリブを含む、請求項５に記載のコンピューティングデバイス。
【請求項７】
前記マウントウェッジは、少なくとも１つの他のマウントウェッジを含むマウントウェッジ構造の一部であり、該マウントウェッジ構造は前記柔軟材料を前記シャーシの前記内端に固定するために用いられるとともに、前記ディスプレイ面のための取り付け構造として用いられる、請求項５に記載のコンピューティングデバイス。
【請求項８】
シャーシと、
前記シャーシの前面の外周部を表すとともに柔軟材料がラミネートされるベゼルと、
マウントウェッジであって、該マウントウェッジは、該マウントウェッジの端部と前記ベゼルの内端との間に前記柔軟材料の端部が配置されるように前記ベゼルに隣接して前記シャーシに取り付けられる、マウントウェッジと、
前記マウントウェッジの上面に取り付けられるとともに前記ベゼルによって取り囲まれるディスプレイ面と、
を含むポータブルコンピューティングデバイス。
【請求項９】
前記柔軟材料はファブリックを含む、請求項８に記載のポータブルコンピューティングデバイス。
【請求項１０】
前記シャーシは前記ベゼルの前記内端に隣接して形成される取り付け溝を含み、前記マウントウェッジは該取り付け溝と連結する取り付けリブを含む、請求項８に記載のポータブルコンピューティングデバイス。
【請求項１１】
前記マウントウェッジの前記端部は前記ベゼルの前記内端に対して前記柔軟材料の前記端部を挟む、請求項８に記載のポータブルコンピューティングデバイス。
【請求項１２】
前記マウントウェッジは、少なくとも１つの他のマウントウェッジを含むマウントウェッジ構造の一部であり、該マウントウェッジ構造は前記柔軟材料を前記ベゼルの前記内端に固定するために用いられるとともに、前記ディスプレイ面のための取り付け構造として用いられる、請求項８に記載のポータブルコンピューティングデバイス。
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
コンピューティングデバイスによって実行される方法であって、
ディスプレイの上に提示するために視覚的コンテンツを受信するステップと、
前記視覚的コンテンツが、前記ディスプレイの上に提示されるようにさせるステップに先立って、
前記コンピューティングデバイスが自動音声認識（ASR）をサポートすること、および
前記コンピューティングデバイスが視覚的注意の監視をサポートすること
に基づいて、新しい視覚的コンテンツを生成するように前記視覚的コンテンツを修正するステップと、
前記視覚的コンテンツを修正するステップに応じて、前記新しい視覚的コンテンツが、前記ディスプレイの上に提示されるようにさせるステップと、
視聴者が前記新しい視覚的コンテンツの要素を見ていることを推定するステップと、
前記視聴者が前記新しい視覚的コンテンツの要素を見ていることを推定することに応じて、前記新しい視覚的コンテンツの前記要素に視覚的インジケータを割り当てるステップと
を含む方法。
【請求項２】
前記視覚的コンテンツは、第１のレイアウトを有しており、また前記新しい視覚的コンテンツを生成するように前記視覚的コンテンツを修正するステップは、前記第１のレイアウトを第２のレイアウトへと変換するステップを含む、請求項１に記載の方法。
【請求項３】
前記第１のレイアウトは、その間に第１の距離を有する前記要素と、第２の要素とを含んでおり、また前記新しい視覚的コンテンツを生成するように前記視覚的コンテンツを修正するステップは、前記第２のレイアウトにおいて、第２の距離が、前記第２の要素から前記要素を分離するように、前記要素と、前記第２の要素との間の距離を変更するステップを含む、請求項２に記載の方法。
【請求項４】
前記要素は、第１のワードまたはワードシーケンスを含んでおり、前記第２の要素は、第２のワードまたはワードシーケンスを含んでおり、前記方法は、
前記第１のワードまたはワードシーケンスと、前記第２のワードまたはワードシーケンスとの間の音響学的類似性を示している値を計算するステップと、
前記第１のワードまたはワードシーケンスと、前記第２のワードまたはワードシーケンスとの間の前記音響学的類似性を示している前記値に基づいて、前記修正された視覚的コンテンツを生成するように前記視覚的コンテンツを修正するステップと
をさらに含む、請求項３に記載の方法。
【請求項５】
前記視聴者によって見られていると推定される要素に基づいて、ＡＳＲシステムをカスタマイズするステップ
をさらに含む、請求項１に記載の方法。
【請求項６】
前記新しい視覚的コンテンツの前記要素に前記視覚的インジケータを割り当てることに続いて、前記視聴者が前記新しい視覚的コンテンツの第２の要素を見ていることを推定するステップと、
前記視聴者が前記第２の要素を見ていることを推定することに応じて、前記第２の要素に前記視覚的インジケータを割り当てて、前記要素から前記視覚的インジケータを取り除くステップと
をさらに含む、請求項１に記載の方法。
【請求項７】
前記視覚的インジケータは強調表示である、請求項６に記載の方法。
【請求項８】
前記視覚的コンテンツは、第１のフォーム入力可能フィールドと、第２のフォーム入力可能フィールドとを含んでおり、また前記新しい視覚的コンテンツを生成するように前記視覚的コンテンツを修正するステップは、前記第１のフォーム入力可能フィールドが、前記第２のフォーム入力可能フィールドからさらに遠くに位置づけられるように、前記第１のフォーム入力可能フィールドまたは前記第２のフォーム入力可能フィールドのうちの少なくとも一方を位置づけ直すステップを含む、請求項１に記載の方法。
【請求項９】
少なくとも１つのプロセッサと、
命令を記憶するメモリとを備えているコンピューティングデバイスであって、
前記命令は、前記少なくとも１つのプロセッサによって実行されると、前記少なくともも１つのプロセッサに、
ディスプレイの上に提示されるべき視覚的コンテンツを受信するステップであって、視覚的コンテンツは、第１のレイアウトを有しており、前記第１のレイアウトは、互いに対して第１の位置にある第１の要素と第２の要素とを含む、ステップと
前記視覚的コンテンツが前記ディスプレイの上で提示されることに先立って、前記ディスプレイに対して追跡されている視覚的注意および前記第１の要素と前記第２の要素との間の音響学的類似性を示す値に基づいて、前記視覚的コンテンツが修正されるときに、前記第１のレイアウトとは異なる第２のレイアウトを有するように前記視覚的コンテンツを修正するステップであって、前記第２のレイアウトは、互いに対して第２の位置にある第１の要素と第２の要素とを含む、ステップと、
前記ディスプレイの上で提示するために前記第２のレイアウトを用いて前記視覚的コンテンツをレンダリングするステップと
を含む動作を実行させる、コンピューティングデバイス。
【請求項１０】
前記動作は、
カメラから画像を受信するステップであって、前記画像は前記ディスプレイを見ているユーザを取り込む、ステップと、
前記画像に基づいて、前記ユーザの注視方向を識別するステップと、
前記注視方向に基づいて、前記ユーザによって見られている第１の要素を推定するステップと、
前記第１の要素が前記ユーザによって見られているように推定されることを示すグラフィカルデータが、前記ディスプレイの上に提示されるようにさせるステップと
をさらに含む、請求項９に記載のコンピューティングデバイス。
【請求項１１】
前記第１の要素は、フォーム入力可能フィールドであり、前記グラフィカルデータは、前記フォーム入力可能フィールドの強調表示である、請求項１０に記載のコンピューティングデバイス。
【請求項１２】
前記動作は、
カメラから画像を受信するステップであって、前記画像は前記ディスプレイを見ているユーザを取り込む、ステップと、
前記画像に基づいて、前記ユーザの注視方向を識別するステップと、
前記注視方向に基づいて、前記ユーザによって見られている第１の要素を推定するステップと、
前記ユーザによって示される口頭による発話を含むオーディオ信号を受信するステップと、
自動音声認識（ASR）システムが、前記ユーザによって見られているように推定される前記第１の要素に基づいて、前記オーディオ信号の前記口頭による発話を認識するステップと
をさらに含む、請求項９に記載のコンピューティングデバイス。
【請求項１３】
前記動作は、前記ユーザによって見られているように推定される前記第１の要素に基づいて、前記ＡＳＲシステムをカスタマイズするステップをさらに含む、請求項１２に記載のコンピューティングデバイス。
【請求項１４】
前記視覚的コンテンツは、前記ディスプレイの上に表示されることになるウェブページの中に含まれる、請求項９に記載のコンピューティングデバイス。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
すべての候補伝送パターンからなるセットに含まれる複数の候補伝送パターンを示す伝送パターン情報を受信する受信部を備え、
前記受信部は、サブフレーム数をＤ２Ｄ伝送の期間として示す別の情報を受信し、
前記伝送パターン情報は、無線リソース制御信号に含まれるビットマップによって示され、
前記別の情報は、無線リソース制御信号に含まれる情報として受信され、
前記サブフレーム数は、互いに異なる複数の数値であって４０と４０よりも大きい１つ以上の数値とから構成される複数の数値のうちから選択され、
前記複数の候補伝送パターンの各々は、前記Ｄ２Ｄ伝送の前記期間におけるデータの伝送に使用される１つ以上のサブフレームを示す、端末装置。
【請求項２】
すべての候補伝送パターンからなるセットに含まれる複数の候補伝送パターンを示す伝送パターン情報を送信する送信部を備え、
前記送信部は、サブフレーム数をＤ２Ｄ伝送の期間として示す別の情報を送信し、
前記伝送パターン情報は、無線リソース制御信号に含まれるビットマップによって示され、
前記別の情報は、無線リソース制御信号に含まれる情報として送信され、
前記サブフレーム数は、互いに異なる複数の数値であって４０と４０よりも大きい１つ以上の数値とから構成される複数の数値のうちから選択され、
前記複数の候補伝送パターンの各々は、前記Ｄ２Ｄ伝送の前記期間におけるデータの伝送に使用される１つ以上のサブフレームを示す、基地局装置。
【請求項３】
端末装置によって実行される方法であって、
すべての候補伝送パターンからなるセットに含まれる複数の候補伝送パターンを示す伝送パターン情報を受信し、
サブフレーム数をＤ２Ｄ伝送の期間として示す別の情報を受信し、
前記伝送パターン情報は、無線リソース制御信号に含まれるビットマップによって示され、
前記別の情報は、無線リソース制御信号に含まれる情報として受信され、
前記サブフレーム数は、互いに異なる複数の数値であって４０と４０よりも大きい１つ以上の数値とから構成される複数の数値のうちから選択され、
前記複数の候補伝送パターンの各々は、前記Ｄ２Ｄ伝送の前記期間におけるデータの伝送に使用される１つ以上のサブフレームを示す、方法。
【請求項４】
基地局装置によって実行される方法であって、
すべての候補伝送パターンからなるセットに含まれる複数の候補伝送パターンを示す伝送パターン情報を送信し、
サブフレーム数をＤ２Ｄ伝送の期間として示す別の情報を送信し、
前記伝送パターン情報は、無線リソース制御信号に含まれるビットマップによって示され、
前記別の情報は、無線リソース制御信号に含まれる情報として送信され、
前記サブフレーム数は、互いに異なる複数の数値であって４０と４０よりも大きい１つ以上の数値とから構成される複数の数値のうちから選択され、
前記複数の候補伝送パターンの各々は、前記Ｄ２Ｄ伝送の前記期間におけるデータの伝送に使用される１つ以上のサブフレームを示す、方法。
【手続補正２】
【補正対象書類名】明細書
【補正対象項目名】発明の名称
【補正方法】変更
【補正の内容】
【発明の名称】端末装置、基地局装置、および、方法
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
ビデオ情報を符号化する方法であって、
複数のレイヤに関連付けられたビデオデータを記憶することと、
１つまたは複数の表現フォーマットシンタックス構造を含むビデオパラメータセット（ＶＰＳ）を生成することと、前記ＶＰＳが、前記複数のレイヤのうちの第１のレイヤに関連付けられた前記１つまたは複数の表現フォーマットシンタックス構造のうちの第１の表現フォーマットシンタックス構造を示し、前記第１の表現フォーマットシンタックス構造が、前記第１のレイヤのクロマフォーマットの色成分を別々にコーディングすべきかどうかを示す第１のフラグを含む、
シーケンスパラメータセット（ＳＰＳ）を生成することと、ここにおいて、前記ＳＰＳが、前記ＶＰＳ中の前記１つまたは複数の表現フォーマットシンタックス構造中に含まれない第２の表現フォーマットシンタックス構造を含み、前記ＶＰＳ中に含まれる前記第１の表現フォーマットシンタックス構造中の前記第１のフラグの値への参照なしに、前記ＳＰＳが、前記第１のレイヤの前記クロマフォーマットの前記色成分を別々にコーディングすべきかどうかを示す第２のフラグを含む、
を備える、方法。
【請求項２】
前記第２のフラグが、前記ＶＰＳ中に含まれる前記第１の表現フォーマットシンタックス構造中の前記第１のフラグの前記値とは異なる値を有する、請求項１に記載の方法。
【請求項３】
前記第１の表現フォーマットシンタックス構造が、第３のフラグを含み、前記ＳＰＳが、前記第１の表現フォーマットシンタックス構造の前記第３のフラグに対応する値を有する第４のフラグを含む、請求項１に記載の方法。
【請求項４】
前記第２のフラグが、前記第１の表現フォーマットシンタックス構造中の前記第１のフラグの前記値に等しい値を有する、請求項１に記載の方法。
【請求項５】
前記第１の表現フォーマットシンタックス構造が、第３のフラグを含み、第４のフラグの前記値が、前記第１の表現フォーマットシンタックス構造の前記第３のフラグの前記値よりも小さいかまたはそれに等しくなるように、前記ＳＰＳが、前記第１の表現フォーマットシンタックス構造の前記第３のフラグに対応する値を有する前記第４のフラグを含む、請求項１に記載の方法。
【請求項６】
前記ＶＰＳは、前記１つまたは複数の表現フォーマットシンタックス構造のうちのいずれが前記複数のレイヤのそれぞれのレイヤに関連付けられるかのマッピングを含む、請求項１に記載の方法。
【請求項７】
前記第１のフラグは、前記第１のフラグの前記値が１に等しいとき、レイヤの前記クロマフォーマットの前記色成分が別々にコーディングされるべきであることを示し、前記第２のフラグは、前記第２のフラグの前記値が１に等しいとき、レイヤの前記クロマフォーマットの前記色成分が別々にコーディングされるべきであることを示す、請求項１に記載の方法。
【請求項８】
前記第１のフラグは、前記第１のフラグの前記値が０に等しいとき、レイヤの前記クロマフォーマットの前記色成分が別々にコーディングされるべきでないことを示し、前記第２のフラグは、前記第２のフラグの前記値が０に等しいとき、レイヤの前記クロマフォーマットの前記色成分が別々にコーディングされるべきでないことを示す、請求項１に記載の方法。
【請求項９】
前記第１のフラグが、前記ＶＰＳ中でシグナリングされたｓｅｐａｒａｔｅ＿ｃｏｌｏｕｒ＿ｐｌａｎｅ＿ｖｐｓ＿ｆｌａｇを備え、前記第２のフラグが、前記ＳＰＳ中でシグナリングされたｓｅｐａｒａｔｅ＿ｃｏｌｏｕｒ＿ｐｌａｎｅ＿ｆｌａｇを備える、請求項１に記載の方法。
【請求項１０】
前記ＳＰＳが、前記ＶＰＳ中に含まれる前記１つまたは複数の表現フォーマットシンタックス構造のうちの１つを指定するシンタックス要素を含む、請求項１に記載の方法。
【請求項１１】
前記第２のフラグの前記値に基づいて、前記第１のレイヤをコーディングすることをさらに備える、請求項１に記載の方法。
【請求項１２】
コンピュータハードウェアを備えるプロセッサ上で実行されたとき、前述の請求項のうちのいずれか一項に記載の方法を前記プロセッサに行わせる命令を備える非一時的コンピュータ可読媒体。
【請求項１３】
ビデオ情報を符号化するための装置であって、
複数のレイヤに関連付けられたビデオデータを記憶するための手段と、
１つまたは複数の表現フォーマットシンタックス構造を含むビデオパラメータセット（ＶＰＳ）を生成するための手段と、前記ＶＰＳが、前記複数のレイヤのうちの第１のレイヤに関連付けられた前記１つまたは複数の表現フォーマットシンタックス構造のうちの第１の表現フォーマットシンタックス構造を示し、前記第１の表現フォーマットシンタックス構造が、前記第１のレイヤのクロマフォーマットの色成分を別々にコーディングすべきかどうかを示す第１のフラグを含む、
シーケンスパラメータセット（ＳＰＳ）を生成するための手段と、ここにおいて、前記ＳＰＳが、前記ＶＰＳ中の前記１つまたは複数の表現フォーマットシンタックス構造中に含まれない第２の表現フォーマットシンタックス構造を含み、前記ＶＰＳ中に含まれる前記第１の表現フォーマットシンタックス構造中の前記第１のフラグの値への参照なしに、前記ＳＰＳが、前記第１のレイヤの前記クロマフォーマットの前記色成分を別々にコーディングすべきかどうかを示す第２のフラグを含む、
を備える、装置。
【請求項１４】
前記第２のフラグが、前記ＶＰＳ中に含まれる前記第１の表現フォーマットシンタックス構造中の前記第１のフラグの前記値とは異なる値を有する、請求項１３に記載の装置。
【請求項１５】
前記第２のフラグが、前記第１の表現フォーマットシンタックス構造中の前記第１のフラグの前記値に等しい値を有する、請求項１３に記載の装置。
【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
入力／出力（Ｉ／Ｏ）インターフェースと、
前記Ｉ／Ｏインターフェースの周波数または温度を決定するための手段と、
前記Ｉ／Ｏインターフェースの前記決定された周波数または温度に少なくとも部分的に基づいて前記Ｉ／Ｏインターフェースのスイング電圧を調整するための手段と、
前記スイング電圧調整中にデータトラフィックを停止させるための手段と、
前記スイング電圧調整の後、前記データトラフィックを再開するための手段と
を備える、デバイス。
【請求項２】
前記決定された周波数または温度に対応する電圧マージンを取得するための手段と、
前記電圧マージンに基づいて前記Ｉ／Ｏインターフェースの前記スイング電圧を調整するための手段と
をさらに備える、請求項１に記載のデバイス。
【請求項３】
ルックアップテーブルを記憶するための手段をさらに備え、ここにおいて、前記ルックアップテーブルが複数の電圧マージンを備え、前記電圧マージンの各々が、異なる温度−周波数ペアに対応し、ここにおいて、前記電圧マージンを取得するための前記手段が、前記ルックアップテーブルから前記電圧マージンを取得するための手段を備える、請求項２に記載のデバイス。
【請求項４】
前記電圧マージンは、前記Ｉ／Ｏインターフェースの前記スイング電圧が所定のスイング電圧よりも小さい量を表す、請求項２に記載のデバイス。
【請求項５】
前記Ｉ／Ｏインターフェースの前記温度を検知するための手段と、
前記検知された温度に基づいて温度示度を生成するための手段と、
前記温度示度に基づいて前記Ｉ／Ｏインターフェースの前記温度を検出するための手段と
をさらに備える、請求項１に記載のデバイス。
【請求項６】
電源から電源電圧を受信するための手段と、
前記Ｉ／Ｏインターフェースの前記スイング電圧に少なくとも部分的に基づいて前記電源の前記電源電圧を調整するための手段と
をさらに備える、請求項１に記載のデバイス。
【請求項７】
前記Ｉ／Ｏインターフェースが、信号経路を介して第２のデバイスに信号を送信するための手段を備える、請求項１に記載のデバイス。
【請求項８】
前記デバイスと前記第２のデバイスとが、別個のチップ上にある、請求項７に記載のデバイス。
【請求項９】
デバイスのＩ／Ｏインターフェースの周波数または温度を決定することと、
前記Ｉ／Ｏインターフェースの前記決定された周波数または温度に少なくとも部分的に基づいて前記Ｉ／Ｏインターフェースのスイング電圧を調整することと、
前記スイング電圧調整中にデータトラフィックを停止させることと、
前記スイング電圧調整の後、前記データトラフィックを再開することと
を備える、方法。
【請求項１０】
前記決定された周波数または温度に対応する電圧マージンを取得することと、
前記電圧マージンに基づいて前記Ｉ／Ｏインターフェースの前記スイング電圧を調整することと
をさらに備える、請求項９に記載の方法。
【請求項１１】
ルックアップテーブルを記憶することをさらに備え、ここにおいて、前記ルックアップテーブルが複数の電圧マージンを備え、前記電圧マージンの各々が、異なる温度−周波数ペアに対応し、ここにおいて、前記電圧マージンを取得することが、前記ルックアップテーブルから前記電圧マージンを取得することを備える、請求項１０に記載の方法。
【請求項１２】
前記電圧マージンは、前記Ｉ／Ｏインターフェースの前記スイング電圧が所定のスイング電圧よりも小さい量を表す、請求項１０に記載の方法。
【請求項１３】
前記Ｉ／Ｏインターフェースの前記温度を検知することと、
前記検知された温度に基づいて温度示度を生成することと、
前記温度示度に基づいて前記Ｉ／Ｏインターフェースの前記温度を検出することと
をさらに備える、請求項９に記載の方法。
【請求項１４】
電源から電源電圧を受信することと、
前記Ｉ／Ｏインターフェースの前記スイング電圧に少なくとも部分的に基づいて前記電源の前記電源電圧を調整することと
をさらに備える、請求項９に記載の方法。
【請求項１５】
前記Ｉ／Ｏインターフェースが、信号経路を介して第２のデバイスに信号を送信することを備え、
前記デバイスと前記第２のデバイスとが、別個のチップ上にある、
請求項９に記載の方法。
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて多重接続性を使用してセル間のタイミングにおける差を報告するための方法であって、
少なくとも第１のセルによってサービスされる第１の接続を確立することと、
少なくとも第２のセルによってサービスされる第２の接続を確立することと、
セル間のタイミング差を報告するための状態に関係する１つまたは複数のパラメータを指定する報告構成を受信することと、
少なくとも前記第１のセルと少なくとも前記第２のセルとの間の前記タイミング差を決定することと、
前記報告構成に少なくとも部分的に基づいて、前記第１の接続を介して少なくとも前記第１のセルに、または前記第２の接続を介して少なくとも前記第２のセルに前記タイミング差を報告することと
を備える、方法。
【請求項２】
前記第１の接続が、少なくとも前記第１のセルを備えるマスタセルグループとのものであり、前記第２の接続が、少なくとも前記第２のセルを備える２次セルグループとのものである、請求項１に記載の方法。
【請求項３】
前記報告構成を受信することが、少なくとも前記第１のセルまたは少なくとも前記第２のセルから前記報告構成を受信することを備える、請求項１に記載の方法。
【請求項４】
前記タイミング差を報告することが、周期タイマーの満了として前記状態を検出することに少なくとも部分的に基づき、ここにおいて、前記１つまたは複数のパラメータが、前記周期タイマーに関する、請求項１に記載の方法。
【請求項５】
前記タイミング差を報告することは、前記タイミング差が少なくともしきい値だけ仮定されたタイミング差とは異なるとして前記状態を検出することに少なくとも部分的に基づき、ここにおいて、前記１つまたは複数のパラメータが、前記仮定されたタイミング差または前記しきい値に関する、請求項１に記載の方法。
【請求項６】
前記タイミング差を報告することは、前記タイミング差が少なくともしきい値だけ前に報告されたタイミング差とは異なるとして前記状態を検出することに少なくとも部分的に基づき、ここにおいて、前記１つまたは複数のパラメータが、前記しきい値に関する、請求項１に記載の方法。
【請求項７】
前記タイミング差を報告することは、前記タイミング差が、考えられるタイミング正確さに対応する範囲の外側にあるサブフレーム整合におけるオフセットに対応するとして前記状態を検出することに少なくとも部分的に基づき、ここで、前に報告されたタイミング差は、前記考えられるタイミング正確さに対応する前記範囲の内側にあったサブフレーム整合における前のオフセットに対応した、請求項１に記載の方法。
【請求項８】
前記タイミング差を報告することは、前記タイミング差が、考えられるタイミング正確さに対応する範囲の内側にあるサブフレーム整合におけるオフセットに対応するとして前記状態を検出することに少なくとも部分的に基づき、ここで、前に報告されたタイミング差は、前記考えられるタイミング正確さに対応する前記範囲の外側にあったサブフレーム整合における前のオフセットに対応した、請求項１に記載の方法。
【請求項９】
前記タイミング差を報告することが、禁止タイマーの満了として前記状態を検出することに少なくとも部分的に基づく、請求項１に記載の方法。
【請求項１０】
前記タイミング差に少なくとも部分的に基づいて前記第１の接続または前記第２の接続を介して通信するための１つまたは複数のパラメータを構成することをさらに備える、請求項１に記載の方法。
【請求項１１】
前記１つまたは複数のパラメータが、前記第１の接続または前記第２の接続のために定義された測定ギャップに対応する、請求項１０に記載の方法。
【請求項１２】
少なくとも前記第２のセルによってサービスされる前記第２の接続を構成するための接続再構成メッセージを受信することをさらに備え、ここにおいて、前記第２の接続を確立することが、前記接続再構成メッセージを受信することと、前記タイミング差を報告することとに少なくとも部分的に基づいて前記第２の接続を構成することを含む、請求項１に記載の方法。
【請求項１３】
請求項１〜１２のうちのいずれか一項の方法を実施するための手段を備える、ワイヤレスネットワークにおいて多重接続性を使用してセル間のタイミングにおける差を報告するための装置。
【請求項１４】
ワイヤレスネットワークにおいて多重接続性を使用してセル間のタイミングにおける差を報告するためのコンピュータ実行可能コードを備えるコンピュータ可読記憶媒体であって、前記コードが、請求項１〜１２のうちのいずれか一項の方法を実施するためのコード
を備える、コンピュータ可読記憶媒体。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信の方法であって、
デバイスに対する識別情報を取得するステップと、
前記UEのネットワーク資格情報に基づいてワイヤレスネットワークとの接続を確立するステップと、
前記UEと関係付けられたサブスクリプションのもとでの前記ワイヤレスネットワークへのアクセスに対する前記デバイスを、前記UEの前記ネットワーク資格情報とは異なる前記デバイスに対するネットワーク資格情報に登録するステップとを含み、前記登録するステップが、前記デバイスに対する前記識別情報を前記UEの前記ネットワーク資格情報と関係付けるステップを含む、方法。
【請求項２】
前記デバイスとのローカル通信リンクを確立するステップをさらに含み、前記デバイスに対する前記識別情報が、前記ローカル通信リンクを介して取得される、請求項1に記載の方法。
【請求項３】
前記デバイスに対する前記ネットワーク資格情報を前記ローカル通信リンクを介して送信するステップをさらに含む、請求項2に記載の方法。
【請求項４】
前記デバイスに対する前記ネットワーク資格情報が、前記UEの前記ネットワーク資格情報と関係付けられたサブスクリプションアイデンティティ、またはネットワーク識別子、あるいはそれらの任意の組合せのうちの少なくとも1つを含む、請求項3に記載の方法。
【請求項５】
前記サブスクリプションアイデンティティが、前記UEのグローバル一意一時的識別番号(GUTI)または国際移動体加入者識別番号(IMSI)、あるいはそれらの任意の組合せのうちの少なくとも1つを含み、
前記ネットワーク識別子が、前記ワイヤレスネットワークのパブリックキー証明書、前記ワイヤレスネットワークのパブリックキー、またはパブリックランドモバイルネットワーク(PLMN)アイデンティティ、あるいはそれらの任意の組合せのうちの少なくとも1つを含む、請求項4に記載の方法。
【請求項６】
前記デバイスに対する前記ネットワーク資格情報が、デバイス製造業者によってプロビジョニングされた共有鍵またはデバイス製造業者によってプロビジョニングされたプライベート-パブリックキーペア、あるいはそれらの任意の組合せのうちの少なくとも1つを含む、請求項1に記載の方法。
【請求項７】
デバイスによって実行されるワイヤレス通信の方法であって、
ユーザ機器(UE)との接続をローカル通信リンクを介して確立するステップと、
ワイヤレスネットワークにアクセスするための資格情報を前記ローカル通信リンクを介して前記UEから受信するステップであって、前記ワイヤレスネットワークにアクセスするための前記受信された資格情報が前記UEのサブスクリプションと関係付けられ、前記サブスクリプションとの前記関係が、前記デバイスの識別情報と前記UEのネットワーク資格情報との間の関係に少なくとも部分的に基づき、前記受信された資格情報が、前記UEの前記ネットワーク資格情報とは異なる、受信するステップと、
前記受信された資格情報を利用して前記ワイヤレスネットワークにアクセスするステップとを含む、方法。
【請求項８】
ワイヤレス通信のための装置であって、
デバイスに対する識別情報を取得するための手段と、
前記装置のネットワーク資格情報に基づいてワイヤレスネットワークとの接続を確立するための手段と、
前記装置と関係付けられたサブスクリプションのもとでの前記ワイヤレスネットワークへのアクセスに対する前記デバイスを、前記装置の前記ネットワーク資格情報とは異なる前記デバイスに対するネットワーク資格情報に登録するための手段とを含み、前記登録することが、前記デバイスに対する前記識別情報を前記装置の前記ネットワーク資格情報と関係付けることを含む、装置。
【請求項９】
前記デバイスとのローカル通信リンクを確立するための手段をさらに含み、取得するための前記手段が、前記識別情報を前記ローカル通信リンクを介して取得するように動作可能である、請求項8に記載の装置。
【請求項１０】
前記ワイヤレスネットワークにアクセスするための資格情報を前記ローカル通信リンクを介して前記デバイスに送信するための手段をさらに含む、請求項9に記載の装置。
【請求項１１】
前記ワイヤレスネットワークにアクセスするための前記資格情報が、前記装置の前記ネットワーク資格情報と関係付けられたサブスクリプションアイデンティティ、またはネットワーク識別子、あるいはそれらの任意の組合せのうちの少なくとも1つを含む、請求項10に記載の装置。
【請求項１２】
前記サブスクリプションアイデンティティが、前記装置のグローバル一意一時的識別番号(GUTI)または国際移動体加入者識別番号(IMSI)、あるいはそれらの任意の組合せのうちの少なくとも1つを含み、
前記ネットワーク識別子が、前記ワイヤレスネットワークのパブリックキー証明書、前記ワイヤレスネットワークのパブリックキー、またはパブリックランドモバイルネットワーク(PLMN)アイデンティティ、あるいはそれらの任意の組合せのうちの少なくとも1つを含む、請求項11に記載の装置。
【請求項１３】
前記デバイスに対する前記ネットワーク資格情報が、デバイス製造業者によってプロビジョニングされた共有鍵またはデバイス製造業者によってプロビジョニングされたプライベート-パブリックキーペア、あるいはそれらの任意の組合せのうちの少なくとも1つを含む、請求項8に記載の装置。
【請求項１４】
ワイヤレス通信のための装置であって、
ユーザ機器(UE)との接続をローカル通信リンクを介して確立するための手段と、
ワイヤレスネットワークにアクセスするための資格情報を前記ローカル通信リンクを介して前記UEから受信するための手段であって、前記ワイヤレスネットワークにアクセスするための前記受信された資格情報が前記UEのサブスクリプションと関係付けられ、前記サブスクリプションとの前記関係が、前記装置の識別情報と前記UEのネットワーク資格情報との間の関係に少なくとも部分的に基づき、前記受信された資格情報が、前記UEの前記ネットワーク資格情報とは異なる、受信するための手段と、
前記受信された資格情報を利用して前記ワイヤレスネットワークにアクセスするための手段とを含む、装置。
【請求項１５】
請求項1乃至7の何れか1項に記載の方法を少なくとも1つのコンピュータに実施させる命令を含む、コンピュータプログラム。
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、
複数のレイヤを備えるコーディングされたビデオデータを受信することと、前記複数のレイヤは非独立的に復号可能な非ベースレイヤ（非ＩＮＢＬ）と独立に復号可能な非ベースレイヤ（ＩＮＢＬ）とを備える、
前記コーディングされたビデオデータと関連付けられるビデオパラメータセット（ＶＰＳ）を受信することと、前記ＶＰＳは第１の表現フォーマットパラメータを備える、
前記ＩＮＢＬと関連付けられるシーケンスパラメータセット（ＳＰＳ）を受信することと、前記ＳＰＳは第２の表現フォーマットパラメータを備え、ここにおいて、前記第１の表現フォーマットパラメータのうちの表現フォーマットパラメータの少なくとも１つの値が、前記第２の表現フォーマットパラメータのうちの表現フォーマットパラメータの少なくとも１つの値と異なる、
前記第１の表現フォーマットパラメータに基づいて前記非ＩＮＢＬを処理することと、  前記第２の表現フォーマットパラメータに基づいて前記ＩＮＢＬをベースレイヤとなるように書き換えることと
を備える、方法。
【請求項２】
前記ＩＮＢＬが０よりも大きなレイヤ識別情報を有し、ＩＮＢＬを書き換えることが、前記ベースレイヤの識別情報のレイヤ識別情報を０に等しく設定することを備える、請求項１に記載の方法。
【請求項３】
前記ＩＮＢＬが、０よりも大きなレイヤ識別情報を有する、請求項１に記載の方法。
【請求項４】
前記ＩＮＢＬを復号することをさらに備える、請求項１に記載の方法。
【請求項５】
前記ＩＮＢＬおよび前記非ＩＮＢＬに基づいて復号されたビデオを出力することをさらに備える、請求項１に記載の方法。
【請求項６】
ワイヤレス通信デバイス上で実行可能であり、前記デバイスが、
前記コーディングされたビデオデータを受信するように構成される受信機と、
前記コーディングされたビデオデータを記憶するように構成されるメモリと、
前記メモリに記憶されている前記コーディングされたビデオデータを処理するための命令を実行するように構成される１つまたは複数のプロセッサと、
前記ＩＮＢＬおよび前記非ＩＮＢＬに基づいて復号されたビデオを表示するように構成されるディスプレイと
を備える、請求項１に記載の方法。
【請求項７】
前記ワイヤレス通信デバイスが携帯電話であり、コーディングされたビデオデータが前記受信機によって受信されセルラー通信規格に従って変調される、請求項６に記載の方法。
【請求項８】
１つまたは複数のプロセッサによって実行されると、前記１つまたは複数のプロセッサに、
複数のレイヤを備える符号化されたビデオデータを受信することと、前記複数のレイヤは非独立的に復号可能な非ベースレイヤ（非ＩＮＢＬ）と独立に復号可能な非ベースレイヤ（ＩＮＢＬ）とを備える、
前記コーディングされたビデオデータと関連付けられるビデオパラメータセット（ＶＰＳ）を受信することと、前記ＶＰＳは第１の表現フォーマットパラメータを備える、
前記ＩＮＢＬと関連付けられるシーケンスパラメータセット（ＳＰＳ）を受信することと、前記ＳＰＳは第２の表現フォーマットパラメータを備え、ここにおいて、前記第１の表現フォーマットパラメータのうちの表現フォーマットパラメータの少なくとも１つの値が、前記第２の表現フォーマットパラメータのうちの表現フォーマットパラメータの少なくとも１つの値と異なる、
前記第１の表現フォーマットパラメータに基づいて前記非ＩＮＢＬを処理することと、
前記第２の表現フォーマットパラメータに基づいて前記ＩＮＢＬをベースレイヤとなるように書き換えることと
を行わせる命令を記憶した、コンピュータ可読記憶媒体。
【請求項９】
前記ＩＮＢＬが０よりも大きなレイヤ識別情報を有する、請求項８に記載のコンピュータ可読記憶媒体。
【請求項１０】
ビデオデータを処理するための装置であって、
複数のレイヤを備えるコーディングされたビデオデータを受信するための手段と、前記複数のレイヤは非独立的に復号可能な非ベースレイヤ（非ＩＮＢＬ）と独立に復号可能な非ベースレイヤ（ＩＮＢＬ）とを備える、
前記コーディングされたビデオデータと関連付けられるビデオパラメータセット（ＶＰＳ）を受信するための手段と、前記ＶＰＳは第１の表現フォーマットパラメータを備える、
前記ＩＮＢＬと関連付けられるシーケンスパラメータセット（ＳＰＳ）を受信するための手段と、前記ＳＰＳは第２の表現フォーマットパラメータを備え、ここにおいて、前記第１の表現フォーマットパラメータのうちの表現フォーマットパラメータの少なくとも１つの値が、前記第２の表現フォーマットパラメータのうちの表現フォーマットパラメータの少なくとも１つの値と異なる、
前記第１の表現フォーマットパラメータに基づいて前記非ＩＮＢＬを処理するための手段と、
前記第２の表現フォーマットパラメータに基づいて前記ＩＮＢＬをベースレイヤとなるように書き換えるための手段と
を備える、装置。
【請求項１１】
前記ＩＮＢＬが０よりも大きなレイヤ識別情報を有し、ＩＮＢＬを書き換えるための前記手段が、前記ベースレイヤの識別情報のレイヤ識別情報を０に等しく設定するための手段を備える、請求項１０に記載の装置。
【請求項１２】
前記ＩＮＢＬが、０よりも大きなレイヤ識別情報を有する、請求項１０に記載の装置。
【請求項１３】
前記第２の表現フォーマットパラメータに基づいて前記ＩＮＢＬを書き換えるための前記手段が、前記ＩＮＢＬを復号するための手段を備える、請求項１０に記載の装置。
【請求項１４】
前記ＩＮＢＬおよび前記非ＩＮＢＬに基づいて復号されたビデオを出力するための手段をさらに備える、請求項１０に記載の装置。
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
コンピューティングデバイスのデュアルモードスピーカシステムを介して、オーディオ通知を聴取者に提供するための方法であって、前記コンピューティングデバイス及び関連するデュアルモードスピーカシステムは、
非指向性ブロードキャストモード及び指向性ブロードキャストモードで選択的に動作可能であり、当該方法は：
オーディオ通知条件を識別するステップと；
前記オーディオ通知条件に少なくとも部分的に基づいて、前記指向性ブロードキャストモードを使用して前記オーディオ通知を送るべきであると決定するステップと；
前記デュアルモードスピーカシステムを介して前記指向性ブロードキャストモードを使用して前記オーディオ通知を前記聴取者にブロードキャストするステップと；
を具備する、方法。
【請求項２】
前記デュアルモードスピーカシステムは、前記指向性ブロードキャストモードだけで動作可能な少なくとも１つの指向性スピーカと、前記非指向性ブロードキャストモードだけで動作可能な少なくとも１つの非指向性スピーカを用いる、
請求項１に記載の方法。
【請求項３】
前記聴取者の聴取者位置を決定するステップ、
を更に備える、請求項１に記載の方法。
【請求項４】
前記オーディオ通知を複数の聴取者にブロードキャストするステップと、
前記複数の聴取者の各聴取者について：
前記聴取者が前記デュアルモードスピーカシステムの最小聴取距離内にいるかどうかを判断するステップと、
前記聴取者が前記デュアルモードスピーカシステムの前記最小聴取距離内にいる場合、前記聴取者が前記オーディオ通知を受け取ったことを記録するステップと、
を更に備える、請求項１に記載の方法。
【請求項５】
前記指向性ブロードキャストモードを使用する、前記聴取者への前記オーディオ通知の伝達が利用可能でないと決定するステップと、
前記指向性ブロードキャストモードを使用する、前記聴取者への前記オーディオ通知の伝達が利用可能でないと決定したことに基づいて、前記オーディオ通知のコンテンツを修正するステップと、
前記非指向性ブロードキャストモードを使用して、前記修正したコンテンツを有する前記オーディオ通知を前記聴取者にブロードキャストするステップと、
を更に備える、請求項１に記載の方法。
【請求項６】
オーディオ通知を聴取者に提供するためのコンピューティングデバイスであって：
非指向性ブロードキャストモード及び指向性ブロードキャストモードで選択的に動作可能なデュアルモードスピーカシステムと；
当該コンピューティングデバイスのプロセッサによって実行される通知プログラムと；
を備え、前記通知プログラムは、前記非指向性ブロードキャストモード及び前記指向性ブロードキャストモードを備え、前記通知プログラムは、
オーディオ通知条件を識別し、
前記オーディオ通知条件に少なくとも部分的に基づいて、前記指向性ブロードキャストモードを使用して前記オーディオ通知を送るべきであると決定し、
前記デュアルモードスピーカシステムを介して前記指向性ブロードキャストモードを使用して前記オーディオ通知を前記聴取者にブロードキャストする、
ように構成される、コンピューティングデバイス。
【請求項７】
前記デュアルモードスピーカシステムは、前記非指向性ブロードキャストモード及び前記指向性ブロードキャストモードで選択的に動作可能な少なくとも１つのデュアルモードスピーカを用いる、
請求項６に記載のコンピューティングデバイス。
【請求項８】
前記少なくとも１つのデュアルモードスピーカは、前記指向性ブロードキャストモードで固定の位置にブロードキャストするように構成される、
請求項７に記載のコンピューティングデバイス。
【請求項９】
前記デュアルモードスピーカシステムは、前記指向性ブロードキャストモードだけで動作可能な複数の指向性スピーカを用い、前記通知プログラムは、前記複数の指向性スピーカを介して、前記指向性ブロードキャストモードを使用して、複数のオーディオ通知を複数の聴取者へ並列にブロードキャストするように更に構成される、
請求項６に記載のコンピューティングデバイス。
【請求項１０】
前記オーディオ通知条件は、前記オーディオ通知のプライバシ分類を備え、該プライバシ分類は、プライベート分類、可能であればプライベートにする分類、修正通知によりプライベートにする分類及び公開分類から成るグループから選択される、
請求項６に記載のコンピューティングデバイス。